(57)【特許請求の範囲】
【請求項１】
伸縮性衣料品の袖口構造であって、シャツやブラウスの袖口のカフスボタンを有するカフス形状を模したパーツを伸縮性のある素材で形成し、該パーツの裏側に伸縮性の芯地を接着してカフスを構成する縫製材を設け、該縫製材を伸縮性衣料品の袖口又は腕の部分に縫い込むように構成したことを特徴とする伸縮性衣料品の袖口構造。
【請求項２】
前記芯地は、１５デニールのナイロン糸で模紗織りされた伸縮性芯地を使用し、該芯地をポリアミド系接着剤で前記パーツの裏側に接着して前記縫製材を構成する請求項１記載の伸縮性衣料品の袖口構造。
【請求項３】
前記パーツは、前記伸縮性衣料品の袖を延長して形成され、該パーツに前記芯地を接着した前記縫製材を折り返して袖の端部に縫い込むように構成した請求項１記載の伸縮性衣料品の袖口構造。
【請求項４】
前記パーツは、前記伸縮性衣料品の袖と別体に形成され、該パーツに前記芯地を接着した前記縫製材を前記袖の端部に縫い込むように構成した請求項１記載の伸縮性衣料品の袖口構造。
【請求項５】
前記伸縮性衣料品はカット・ソー衣料品の長袖ポロシャツとし、前記カフスを構成する前記縫製材はシャツやブラウスの袖口のカフスボタンを有するカフスの形状を模して形成された請求項１記載の伸縮性衣料品の袖口構造。
【発明の詳細な説明】
【技術分野】
【０００１】
本発明は、伸縮性衣料品の袖口を、例えばワイシャツのカフス形状に形成することが可能で、しかも、カフスボタンをはめたままでも袖口を自由に上げ下げすることができる伸縮性衣料品の袖口構造に関する。
【背景技術】
【０００２】
ワイシャツやブラウス等のシャツ類は布帛が使用されており、袖口に形成されているカフスは伸縮性が少ないことから、シャツ類の袖口をたくし上げる場合は、カフスボタンを外す必要があった。
【０００３】
一方、袖口のカフスボタンをはめたままで、袖を自由に上げ下げすることができる構造として、特許文献１に記載されたワイシャツの袖口構造や、特許文献２に記載されたカフス構造などが提案されている。
【０００４】
すなわち、特許文献１に記載のワイシャツの袖口構造は、袖口の一方の裏面側と他方の表面側とに、伸縮性を有するバンドを縫い付けることで、カフスのボタンをはめたままで袖を上げ下げするという構成である。
【０００５】
また、特許文献２に記載のカフス構造は、カフス本体の芯地の裏面に弾性伸縮材を設けた基端部を固定し、この基端部からから張り出す帯状片を設け、この帯状片の先端部にカフスボタンを掛止するボタンホールを形成したものである。したがって、帯状片の先端部にカフスボタンをはめたままでも帯状片の基端部が伸縮するので、カフスの上げ下げが可能になる。
【０００６】
一方、ポロシャツ等のカット・ソー製品は、素材自体に伸縮性があるので長袖の袖口でも容易に上げ下げすることができる。近頃では、ゴルフ競技などにおいて、高級な長袖のポロシャツが好まれる傾向にあり、フォーマルな装いにも需要があることから、カット・ソー製品における袖口のデザインが見直されている。
【先行技術文献】
【特許文献】
【０００７】
【特許文献１】特許第４７５２０７０号公報
【特許文献２】実用新案登録第３０４３６６５号公報
【発明の概要】
【発明が解決しようとする課題】
【０００８】
特許文献１に記載の袖口によると、袖口から伸縮性のバンドが表出する構成であるから、フォーマルな袖口や高級なシャツ類の袖口に利用すると違和感が生じるものであった。
【０００９】
また、特許文献２に記載のカフスでは、伸縮部分がカフスの裏側に隠れているので、違和感は少なくなっているが、弾性伸縮材の加工工程や帯状片の製造工程など、多くの製造工程が必要になる。しかも、弾性伸縮材が伸長すると、この弾性伸縮材を固定した一部に変形が生じるので、カフスの見栄えが損なわれる虞もある。
【００１０】
一方、ゴルフ競技などで好まれる長袖のポロシャツを高級な装いにするには、例えば、シャツ類のカフスのデザインをポロシャツの袖口のデザインとして採用するのが有効である。ところが、これまで布帛シャツ類のカフス構造を、カット・ソー製品の袖口に使用したものは、全く提案されていない。
【００１１】
すなわち、ポロシャツ等のカット・ソー製品は、ニット素材を裁断して縫製する構成なので、素材自体に伸縮性があることから、布帛シャツのカフス構造を再現することが極めて困難であった。すなわち、伸縮性のないカフスを使用すると、伸縮性のある袖に伸縮性のないカフスを縫製する作業が困難になる。一方、カフスを伸縮性のある素材で形成すると、カフスが伸長した場合に、カフスボタンがボタンホールから簡単に外れてしまう虞がある。
【００１２】
そこで本発明は上述の課題を解消すべく創出されたもので、カット・ソー等の伸縮性のある衣料品の袖に、布帛シャツのカフス構造を再現することが可能になり、袖口が伸縮してもカフスの形状を維持することができ、しかも、高級衣料として違和感がなく、カフスボタンがボタンホールから簡単に外れる虞もない伸縮性衣料品の袖口構造の提供を目的とするものである。
【課題を解決するための手段】
【００１３】
上述の目的を達成すべく本発明における第１の手段は、伸縮性衣料品の袖口構造であって、シャツやブラウスの袖口のカフスボタンを有するカフス形状を模したパーツＱ１を伸縮性のある素材で形成し、該パーツＱ１の裏側に伸縮性の芯地Ｑ２を接着してカフスを構成する縫製材Ｑを設け、該縫製材Ｑを伸縮性衣料品の袖口又は腕の部分に縫い込むように構成したことにある。
【００１４】
第２の手段において、前記芯地Ｑ２は、１５デニールのナイロン糸で模紗織りされた伸縮性芯地Ｑ２を使用し、該芯地Ｑ２をポリアミド系接着剤で前記パーツＱ１の裏側に接着して前記縫製材Ｑを構成するものである。
【００１５】
第３の手段において、前記パーツＱ１は、前記カット・ソー衣料品の袖Ｐを延長して形成され、該パーツＱ１に前記芯地Ｑ２を接着した前記縫製材Ｑを折り返して袖Ｐの端部に縫い込むように構成している。
【００１６】
第４の手段において、前記パーツＱ１は、前記カット・ソー衣料品の袖Ｐと別体に形成され、該パーツＱ１に前記芯地Ｑ２を接着した前記縫製材Ｑを前記袖Ｐの端部に縫い込むように構成する。
【００１７】
第５の手段において、前記伸縮性衣料品はカット・ソー衣料品の長袖ポロシャツとし、前記カフスを構成する前記縫製材Ｑはシャツやブラウスの袖口のカフスボタンを有するカフスの形状を模して形成したことにある。
【発明の効果】
【００１８】
本発明の請求項１に記載の如く、伸縮性衣料品の袖口構造であって、シャツやブラウスの袖口のカフスボタンを有するカフス形状を模したパーツＱ１を伸縮性のある素材で形成し、該パーツＱ１の裏側に伸縮性の芯地Ｑ２を接着してカフスを構成する縫製材Ｑを設け、該縫製材Ｑを伸縮性衣料品の袖口又は腕の部分に縫い込むように構成したことにより、伸縮性衣料品の袖口又は腕の部分に、布帛衣料品のカフス構造を再現することが可能になった。しかも、伸縮性のある袖Ｐに伸縮性を有するカフスを縫製するものであるから、縫製加工も容易に行える。
【００１９】
請求項２のように、芯地Ｑ２は、１５デニールのナイロン糸で模紗織りされた伸縮性を有する芯地Ｑ２を使用し、該芯地Ｑ２をポリアミド系接着剤でパーツＱ１の裏側に接着して縫製材Ｑを構成することによって、縫製材Ｑがニットなどの伸縮性のある素材でも、カフスの形状を維持することができる。すなわち、伸縮性（ストレッチ性）と弾性回復性（キックバック性）の二つの特徴を兼ね備えることができる。
【００２０】
この結果、袖口が伸びた状態でもカフスの形状を維持しながら伸縮するので、高級衣料として違和感のない使用が可能になる。また、縫製材ＱにボタンホールＱ３やカフスボタンＲを設けた場合でも、このカフスボタンＲがボタンホールＱ３から簡単に外れる虞がなくなり、カフスボタンＲを止めた状態でカフスを上げ下げすることが可能になった。
【００２１】
請求項３の如く、パーツＱ１は、伸縮性衣料品の袖Ｐを延長して形成され、該パーツＱ１に芯地Ｑ２を接着した縫製材Ｑを折り返して袖Ｐの端部に縫い込むように構成することで、すっきりとした外観やシンプルな縫製が可能になる。
【００２２】
請求項４のように、パーツＱ１は、伸縮性衣料品の袖Ｐと別体に形成され、該パーツＱ１に芯地Ｑ２を接着した縫製材Ｑを袖Ｐの端部に縫い込むように構成することで、布帛衣料品用のカフスを忠実に再現することが可能になる。また、各種のデザインに変更することもできる。
【００２３】
請求項５の如く、伸縮性衣料品は長袖のポロシャツとし、カフスを構成する縫製材Ｑはシャツやブラウスの袖口のカフスボタンを有するカフスの形状を模して形成すると、ゴルフ競技などで好まれる長袖のポロシャツを高級な装いにすることが可能になる。
【００２４】
このように本発明によると、ポロシャツ等の伸縮性衣料品に、布帛シャツのカフス構造を再現することが可能になり、袖口が伸縮してもカフスの形状を維持することができ、しかも、高級衣料として違和感がなく、カフスボタンがボタンホールから簡単に外れる虞もないなどといった当初の目的を達成した。
【図面の簡単な説明】
【００２５】
【図１】本発明の一実施例を示し、（イ）は製品の側面図、（ロ）は縫製材の芯地を示す断面図、（ハ）は縫製材の構造を示す説明図である。
【図２】本発明の他の実施例を示し、（イ）は製品の側面図、（ロ）は縫製材の芯地を示す断面図、（ハ）は縫製材の構造を示す説明図である。
【図３】本発明の他の実施例を示し、（イ）は製品の側面図、（ロ）は縫製材の芯地を示す断面図、（ハ）は縫製材の構造を示す説明図である。
【図４】本発明の他の実施例を示し、（イ）は製品の側面図、（ロ）は縫製材の構造を示す説明図である。
【図５】本発明の他の実施例を示し、（イ）は製品の側面図、（ロ）は縫製材の構造を示す説明図である。
【図６】本発明の他の実施例を示し、（イ）は製品の側面図、（ロ）は縫製材の構造を示す説明図である。
【発明を実施するための形態】
【００２６】
本発明袖口構造は、伸縮性衣料品の伸縮性のある袖口構造を、布帛衣料品用のカフス構造を模して形成したものである。すなわち、本発明で伸縮性衣料品とは、ニット等の伸縮性のある素材を裁断して縫製したカット・ソー衣料品や、ニット編み衣料品、あるいは布帛衣料品の中でも特に伸縮性を備えた衣料品の全てを総称するものである。また、布帛衣料品用のカフス構造とは、布帛製の袖口や腕の部分に形成されている各種カフスの構造とする。例えば、伸縮性衣料品の例として長袖のポロシャツの袖に、シャツ用カフスを模して形成した伸縮性のあるカフスを設けた袖口構造などである。
【００２７】
本発明では、このような布帛衣料品用のカフスを模したパーツＱ１を、伸縮性のある素材で形成する。このパーツＱ１は、伸縮性衣料品の袖Ｐを延長して形成する他、伸縮性衣料品の袖Ｐと別体に形成することも可能である。
【００２８】
このような伸縮性を有するパーツＱ１に、伸縮性の芯地Ｑ２を接着することでカフスを構成する縫製材Ｑを形成する。伸縮性の芯地Ｑ２は多くの種類が提供されているが、特に、１５デニールのナイロン糸で模紗織りされた芯地Ｑ２が好適ある。この芯地Ｑ２をポリアミド系接着剤で伸縮性のある素材のパーツＱ１の裏側に接着して縫製材Ｑを構成すると、伸縮性のある素材で布帛衣料品用のカフス構造を再現することが可能になる。すなわち、伸縮性（ストレッチ性）と弾性回復性（キックバック性）の二つの特徴を兼ね備えたカフス構造になる。
【００２９】
図１乃至図３に示す縫製材Ｑは、カット・ソー衣料品の袖Ｐの先を延長してパーツＱ１を形成したものである。そして、このパーツＱ１のカフス先端となる折返し部分からパーツＱ１の内側に重ねる部分にかけて芯地Ｑ２を接着して縫製材Ｑを設けている（同図（ロ）参照）。更に、この縫製材Ｑを袖Ｐの端部に縫い込んで、カフスを構成している（同図（ハ）参照）。いずれの縫製材Ｑも、パーツＱ１の芯地Ｑ２を接着した部分にボタンホールＱ３やカフスボタンＲを設けている（同図（イ）参照）。
【００３０】
図１に記載の縫製材Ｑは、袖Ｐから縫製材Ｑにかけて剣ボロと称するスリットを形成した構成である（同図（イ）参照）。
【００３１】
図２に記載の縫製材Ｑは、本縫いバインダーを応用して開きスペースを形成している（同図（イ）参照）。このとき、開きに切り替えがなくても作成が可能になる。
【００３２】
図３に記載の縫製材Ｑは、開きスペースを少なくしたものである（同図（イ）参照）。
【００３３】
図４乃至図６に示す縫製材Ｑは、カット・ソー衣料品の袖Ｐと別体のパーツＱ１を形成したものである（同図（ロ）参照）。このパーツＱ１の裏側に接着する芯地Ｑ２は、各パーツＱ１に対応して設着することでカフス状の縫製材Ｑを設けている。そして、この縫製材Ｑをカット・ソー衣料品の袖Ｐ端部に縫い込んでカフスを構成している。
【００３４】
図４に記載のパーツＱ１には、袖Ｐの端部に縫製する部分からカフス先端の折返しに至る部分にかけて芯地Ｑ２を接着している（同図（ロ）参照）。図示の縫製材Ｑは、カフス丈を長めに設定したレディース用の縫製材Ｑである。この縫製材Ｑには、数多くのボタンホールＱ３やカフスボタンＲを設けている（同図（イ）参照）。
【００３５】
図５に記載のパーツＱ１には、内側全体に芯地Ｑ２を接着している（同図（ロ）参照）。図示の縫製材Ｑは、最もシンプルな形状の縫製材Ｑである（同図（イ）参照）。
【００３６】
図６に記載のパーツＱ１には、袖Ｐの端部に折り返して縫製する部分から、カフス先端の折返しに至る部分にかけて芯地Ｑ２を接着している（同図（ロ）参照）。図示の縫製材Ｑは、布帛製のシャツやブラウスの袖口に形成されている各種カフスの構造にもっとも近い構成になっている（同図（イ）参照）。また、カフスの裏側で縫い代を内側に入れ込むことでクリーンな始末ができる構成である。
【００３７】
尚、本発明において、図示の構成に限定されるものではなく、本発明の要旨を変更しない範囲での設計変更は自由に行えるものである。
【符号の説明】
【００３８】
Ｐ  袖
Ｑ  縫製材
Ｑ１  パーツ
Ｑ２  芯地
Ｑ３  ボタンホール
Ｒ  カフスボタン
【要約】
【課題】ポロシャツ等の袖口にワイシャツ等のカフス構造を再現することが可能になり、伸縮性衣料品の袖口構造を提供する。
【解決手段】布帛衣料品用のカフスを構成するパーツＱ１を伸縮性のある素材で形成する。該パーツＱ１の裏側に伸縮性の芯地Ｑ２を接着してカフス状の縫製材Ｑを設ける。該縫製材Ｑを伸縮性衣料品の袖Ｐ端部に縫い込む。１５デニールのナイロン糸で模紗織りされた伸縮性を有する芯地Ｑ２を使用する。芯地Ｑ２をポリアミド系接着剤でパーツＱ１の裏側に接着して縫製材Ｑを構成する。
【選択図】  図１【図１】
0005763259.tif 000002
【図２】
0005763259.tif 000003
【図３】
0005763259.tif 000004
【図４】
0005763259.tif 000005
【図５】
0005763259.tif 000006
【図６】
0005763259.tif 000007